(57)【要約】【課題】  複数の映像の中から興味のある映像を短時間で見つけることができる表示装置を提供する。【解決手段】  表示装置５のサーバー５２は、複数の会議映像を蓄積するデータベース４から各会議映像に関する情報を取得し、取得した各会議映像に関する情報に基づいて、各会議映像を紹介する紹介画面を作成し、各紹介画面を表示面５１ａに表示する。また、サーバー５２は各紹介画像をスライドショー表示し、紹介画面の一部の領域に会議映像、会議映像を要約した映像、会議資料、会議名、会議日時、会議参加者、アノテーションを表示する。また、サーバー５２は各会議映像に関する情報をパーソナルコンピュータ６に送信するための操作画面を紹介画面の一部の領域に表示する。【選択図】          図１
2005352933.tif 000002
【特許請求の範囲】
【請求項１】
会議映像を記憶する映像記憶装置から複数の会議映像に関する情報を取得する取得手段と、
前記取得手段が取得した各会議映像に関する情報に基づいて、前記各会議映像毎に前記各会議映像を紹介する情報を配置させた紹介画面を作成し、該各紹介画面を所定の表示面に順次表示する表示手段と
を有することを特徴とする表示装置。
【請求項２】
前記表示装置は更に、前記取得手段が取得した各会議映像に関する情報に基づいて、前記各会議映像の中から前記紹介画面で紹介する会議映像を選択的に選択する選択手段を有することを特徴とする請求項１記載の表示装置。
【請求項３】
前記表示手段は、前記会議映像を前記紹介画面に表示することを特徴とする請求項１記載の表示装置。
【請求項４】
前記表示手段は、前記会議映像を分割した分割会議映像を前記紹介画面に設けられた複数のウインドウに同時に表示することを特徴とする請求項１記載の表示装置。
【請求項５】
前記表示装置は更に、前記会議映像の撮影時間に基づいて、前記取得手段が取得する会議映像を分割する分割手段を有し、
前記表示手段は、前記分割手段が分割した分割会議映像を前記紹介画面に設けられた複数のウインドウに同時に表示することを特徴とする請求項１記載の表示装置。
【請求項６】
前記表示装置は更に、前記会議映像の信号処理結果に応じて、前記取得手段が取得した会議映像を分割する分割手段を有し、
前記表示手段は、前記分割手段が分割した分割会議映像を前記紹介画面に設けられた複数のウインドウに同時に表示することを特徴とする請求項１記載の表示装置。
【請求項７】
前記表示手段は、前記各会議映像に関連する映像が複数ある場合、こられの映像を前記紹介画面に設けられた複数のウインドウに同時に表示することを特徴とする請求項１記載の表示装置。
【請求項８】
前記表示手段は、前記ウインドウ毎に前記ウインドウに表示する映像の再生速度を変えて表示することを特徴とする請求項４から請求項７のいずれか一項に記載の表示装置。
【請求項９】
前記表示装置は更に、前記複数のウインドウの中から選択されたウインドウに表示されている映像に関する音声を出力する出力手段を有することを特徴とする請求項４から請求項８のいずれか一項に記載の表示装置。
【請求項１０】
前記表示手段は、前記会議映像を要約した要約会議映像を前記紹介画面に表示することを特徴とする請求項１記載の表示装置。
【請求項１１】
前記表示手段は、前記会議映像に関係のある資料を前記紹介画面に表示することを特徴とする請求項１記載の表示装置。
【請求項１２】
前記表示手段は、前記会議映像に関係のある資料が複数ある場合、これらの資料を前記紹介画面に設けられた複数のウインドウに同時に表示することを特徴とする請求項１記載の表示装置。
【請求項１３】
前記表示手段は、前記資料をスライドショー表示することを特徴とする請求項１１または請求項１２記載の表示装置。
【請求項１４】
前記表示手段は、前記会議映像に関係のある資料を該前記資料に含まれる文字または図形の大きさに応じて表示倍率を変えて前記紹介画面に表示することを特徴とする請求項１記載の表示装置。
【請求項１５】
前記表示手段は、前記会議映像に関係のある資料を所定の言語に翻訳したものを前記紹介画面に表示することを特徴とする請求項１記載の表示装置。
【請求項１６】
前記表示手段は、前記会議映像に関連するアノテーションを前記紹介画面に表示することを特徴とする請求項１記載の表示装置。
【請求項１７】
前記表示手段は、前記アノテーションが付加された日時または前記アノテーションを付加した人物の属性によって優先順位を変えて前記アノテーションをスライドショー表示することを特徴とする請求項１５記載の表示装置。
【請求項１８】
前記表示手段は、前記会議映像を撮影した日時を前記紹介画面に表示することを特徴とする請求項１記載の表示装置。
【請求項１９】
前記表示手段は、前記会議映像を撮影した日時を前記紹介画面が表示される場所の日時に変換した日時を前記紹介画面に表示することを特徴とする請求項１記載の表示装置。
【請求項２０】
前記表示手段は、前記会議映像のタイトルを前記紹介画面に表示することを特徴とする請求項１記載の表示装置。
【請求項２１】
前記表示手段は、前記会議映像のタイトルを所定の言語に翻訳したものを前記紹介画面に表示することを特徴とする請求項１記載の表示装置。
【請求項２２】
前記表示手段は、前記会議映像に登場する人物に関する情報を前記紹介画面に表示することを特徴とする請求項１記載の表示装置。
【請求項２３】
前記会議映像に登録する人物に関する情報は、少なくとも前記映像に登場する人物の名前または前記映像に登場する人物の写真を含むことを特徴とする請求項２２記載の表示装置。
【請求項２４】
前記表示手段は、前記会議映像に登場する人物に関する情報をスライドショー表示することを特徴とする請求項２２または請求項２３記載の表示装置。
【請求項２５】
前記表示手段は、前記会議映像に登場する人物の属性に応じて前記会議映像に登場する人物に関する情報をスライドショー表示することを特徴とする請求項２２または請求項２３記載の表示装置。
【請求項２６】
前記表示手段は、前記紹介画面中の選択された箇所を拡大して表示することを特徴とする請求項１から請求項２５のいずれか一項に記載の表示装置。
【請求項２７】
前記表示手段は、前記各会議映像に関する情報を所定の情報処理装置に送信するための操作画面を表示することを特徴とする請求項１から請求項２６のいずれか一項に記載の表示装置。
【請求項２８】
前記表示装置は更に、前記取得手段が取得した各会議映像に関する情報に基づいて、前記各会議映像の重要度を算出する算出手段を有し、
前記表示手段は、前記算出手段が算出した各会議映像の重要度に応じて、前記紹介画面を表示する表示時間または表示回数を変更することを特徴とする請求項１記載の表示装置。
【請求項２９】
会議映像を蓄積する映像記憶装置から該会議映像に関する情報を取得する取得手段と、
前記取得手段が取得した会議映像を分割した分割会議映像を、前記会議映像を紹介する複数のウインドウに同時に表示する表示手段と
を有することを特徴とする表示装置。
【請求項３０】
前記表示装置は更に、前記会議映像の撮影時間に基づいて、前記取得手段が取得した会議映像を分割する分割手段を有することを特徴とする請求項２９記載の表示装置。
【請求項３１】
前記表示装置は更に、前記会議映像を信号処理した結果に応じて、前記会議映像を分割する分割手段を有することを特徴とする請求項２９記載の表示装置。
【請求項３２】
会議映像を記憶する映像記憶装置から該会議映像に関する情報を取得する取得手段と、
前記取得手段が取得した会議映像を、前記会議映像を紹介する複数のウインドウに異なる再生速度で同時に表示する表示手段と
を有することを特徴とする表示装置。
【請求項３３】
会議映像を記憶する映像記憶装置から複数の会議映像に関する情報を取得する取得手段と、
前記取得手段が取得した複数の会議映像を、前記会議映像を紹介する複数のウインドウに異なる再生で同時に表示する表示手段と
を有することを特徴とする表示装置。
【請求項３４】
会議映像に関連する情報を記憶する映像記憶装置と、
前記会議映像に関連する情報を受信する情報処理装置と、
請求項１から請求項３３記載の表示装置と
を備えたことを特徴とするシステム。
【請求項３５】
複数の会議映像を記憶する映像記憶装置から各会議映像に関する情報を取得する取得ステップと、
前記取得ステップで取得した各会議映像に関する情報に基づいて、前記各会議映像毎に前記各会議映像を紹介する情報を配置させた紹介画面を作成する作成ステップと、
前記作成ステップで作成した各紹介画面を所定の表示面に順次表示する表示ステップとを有することを特徴とする表示方法。
【請求項３６】
会議映像を記憶する映像記憶装置から該会議映像に関する情報を取得する取得ステップと、
前記取得ステップで取得した会議映像を複数の会議映像に分割する分割ステップと、
前記分割ステップで分割した会議映像を、前記会議映像を紹介する複数のウインドウに同時に表示する表示ステップと
を有することを特徴とする表示方法。
【請求項３７】
会議映像を記憶する映像記憶装置から該会議映像に関する情報を取得する取得ステップと、
前記取得ステップで取得した会議映像を、前記会議映像を紹介する複数のウインドウに異なる再生速度で同時に表示する表示ステップと
を有することを特徴とする表示方法。
【請求項３８】
会議映像を記憶する映像記憶装置から複数の会議映像に関する情報を取得する取得ステップと、
前記取得ステップで取得した複数の会議映像を、前記会議映像を紹介する複数のウインドウに異なる再生で同時に表示する表示ステップと
を有することを特徴とする表示方法。
【発明の詳細な説明】
【技術分野】
【０００１】
本発明は、表示装置、システムおよび表示方法に関し、より特定すれば複数の映像を紹介する表示装置、システムおよび表示方法に関する。
【背景技術】
【０００２】
従来、会議等で撮影された複数の映像を蓄積する装置から映像を読み出して再生することで興味のある映像を探し出すことができるシステムが提案されている。このシステムでは、例えば、会議映像や会議映像の関する資料をデータベースに登録しておき、担当の者が電子メール等により会議映像の存在を会議映像に興味がありそうな人に知らせる。
【０００３】
電子メールを受け取った人は、パーソナルコンピュータ等によりデータベースから映像や資料のファイルを取り出して内容を確認することで、興味のある会議映像かどうかを判断することができる。このような従来の技術に関連する特許文献として以下のようなものが提案されている。
【０００４】
特許文献１記載の装置は、映像と同時に使用された静止画を映像に同期させて蓄積しておき、映像とともに静止画を表示して、過去の会議で、実際に行われたように映像、静止画を再生表示することで会議の内容を振り返ることができるというものである。
【０００５】
特許文献２記載の装置は、映像を早く視聴するために、画像処理によって特徴的なフレームのみを抜き出して再生するというものである。
【０００６】
【特許文献１】特開２００３−８７７２５号公報
【特許文献２】特開平６−１５３１５５号公報
【発明の開示】
【発明が解決しようとする課題】
【０００７】
しかしながら、特許文献１記載の装置では、過去の会議で、実際に行われたように映像、静止画を再生表示できるというものであるが、この会議が興味あるものであるかどうかを判断するには、会議映像すべてに対して目を通さなければならず、会議が多数あった場合には、興味ある会議を見つけるまでに時間がかかってしまうという問題があった。
【０００８】
特許文献２記載の装置では、一つの映像を早く視聴するために、画像処理によって特徴的なフレームのみを抜き出して再生するという一般的な画像処理手法についてのものであり、複数ある映像の中から興味あるものを短時間で見つけることはできない。
【０００９】
そこで、本発明は、上記問題点に鑑みてなされたもので、複数の会議映像の中から興味のある会議映像を短時間で見つけることができる表示装置、システムおよび表示方法を提供することを目的とする。
【課題を解決するための手段】
【００１０】
上記課題を解決するために、本発明は、請求項１に記載のように、会議映像を記憶する映像記憶装置から複数の会議映像に関する情報を取得する取得手段と、前記取得手段が取得した各会議映像に関する情報に基づいて、前記各会議映像毎に前記各会議映像を紹介する情報を配置させた紹介画面を作成し、該各紹介画面を所定の表示面に順次表示する表示手段とを有することを特徴とする表示装置である。
【００１１】
請求項１記載の発明によれば、各会議映像を紹介する情報を適宜配置させた紹介画面を作成し、これら紹介画面を表示するので、複数の会議映像の中から興味のある会議映像を短時間で見つけることができる。また、全く関心を持っていなかった人に会議映像に接触する機会を作り、このような人に会議映像への関心を喚起することができる。なお、順次表示することには、各紹介画面を動画的に順次表示するような場合、あるいは各紹介画面をスライドショー表示するような場合も含まれる。スライドショー表示は静止画を画面に順次表示する表示方法である。これにより、複数ある会議映像の中から興味のある映像を、ユーザーが操作をしなくても容易に気づくことができる。また、表示する会議を選ぶ機能を持つことで、映像記憶装置に蓄積された膨大な量の会議映像が表示されることを防ぎ、重要な会議のみをユーザーに提示することができる。
【００１２】
本発明は、請求項２に記載のように、請求項１記載の表示装置において、更に、前記取得手段が取得した各会議映像に関する情報に基づいて、前記各会議映像の中から前記紹介画面で紹介する会議映像を選択的に選択する選択手段を有することを特徴とする。請求項２記載の発明によれば、選択的に選択された紹介画面だけが表示されるので、興味のある会議映像をさらに短時間で見付けることができる。
【００１３】
本発明は、請求項３に記載のように、請求項１記載の表示装置において、前記表示手段は、前記会議映像を前記紹介画面に表示することを特徴とする。請求項３記載の発明によれば、会議映像を紹介画面に再生表示することで、映像自体を見ることにより興味のある映像かどうかを容易に判断することができる。
【００１４】
本発明は、請求項４に記載のように、請求項１記載の表示装置において、前記表示手段は、前記会議映像を分割した分割会議映像を前記紹介画面に設けられた複数のウインドウに同時に表示することを特徴とする。請求項４記載の発明によれば、会議映像を分割した分割映像を同時に見ることで、短時間に多量の会議映像を見ることが可能になるため、この会議映像が興味あるものであるかを短時間で判断することができる。
【００１５】
本発明は、請求項５に記載のように、請求項１記載の表示装置において、更に、前記会議映像の撮影時間に基づいて、前記取得手段が取得する会議映像を分割する分割手段を有し、前記表示手段は、前記分割手段が分割した分割会議映像を前記紹介画面に設けられた複数のウインドウに同時に表示することを特徴とする。請求項５記載の発明によれば、撮影時間に基づき容易に会議映像を分割することができる。
【００１６】
本発明は、請求項６に記載のように、請求項１記載の表示装置において、更に、前記会議映像の信号処理結果に応じて、前記取得手段が取得した会議映像を分割する分割手段を有し、前記表示手段は、前記分割手段が分割した分割会議映像を前記紹介画面に設けられた複数のウインドウに同時に表示することを特徴とする。請求項６記載の発明によれば、例えば画像信号処理や音声信号処理を用いて、話者を特定し話者ごとに会議映像を分割できる。
【００１７】
本発明は、請求項７に記載のように、請求項１記載の表示装置において、前記表示手段は、前記各会議映像に関連する映像が複数ある場合、こられの映像を前記紹介画面に設けられた複数のウインドウに同時に表示することを特徴とする。請求項７記載の発明によれば、関連ある複数の会議映像を複数のウインドウに同時に表示することで、興味のある会議映像であるかどうかを複数の角度から判断できる。
【００１８】
本発明は、請求項８に記載のように、請求項４から請求項７のいずれか一項に記載の表示装置において、前記表示手段は、前記ウインドウ毎に前記ウインドウに表示する映像の再生速度を変えて表示することを特徴とする。
【００１９】
本発明は、請求項９に記載のように、請求項４から請求項８のいずれか一項に記載の表示装置において、更に、前記複数のウインドウの中から選択されたウインドウに表示されている映像に関する音声を出力する出力手段を有することを特徴とする。請求項９記載の発明によれば、興味の有る会議映像の音声だけを聞くことで、興味のある会議映像であるかどうかを判断できる。
【００２０】
本発明は、請求項１０に記載のように、請求項１記載の表示装置において、前記表示手段は、前記会議映像を要約した要約会議映像を前記紹介画面に表示することを特徴とする。請求項１０記載の発明によれば、会議映像を要約した要約会議映像を再生表示するので、短時間で会議映像の内容を把握できる。
【００２１】
本発明は、請求項１１に記載のように、請求項１記載の表示装置において、前記表示手段は、前記会議映像に関係のある資料を前記紹介画面に表示することを特徴とする。請求項１１記載の発明によれば、会議映像に関係のある資料を紹介画面に表示することで、各会議映像の内容を容易に理解することができる。
【００２２】
本発明は、請求項１２に記載のように、請求項１記載の表示装置において、前記表示手段は、前記会議映像に関係のある資料が複数ある場合、これらの資料を前記紹介画面に設けられた複数のウインドウに同時に表示することを特徴とする。請求項１２記載の発明によれば、複数の資料を紹介画面上に同時に表示することで、短時間で興味のある資料であるかどうかを判断できる。
【００２３】
本発明は、請求項１３に記載のように、請求項１１または請求項１２記載の表示装置において、前記表示手段は、前記資料をスライドショー表示することを特徴とする。請求項１３記載の発明によれば、会議映像に関する資料を短時間で見ることができるために、この会議映像が興味あるものかどうか短時間で判断できる。
【００２４】
本発明は、請求項１４に記載のように、請求項１記載の表示装置において、前記表示手段は、前記会議映像に関係のある資料を該前記資料に含まれる文字または図形の大きさに応じて表示倍率を変えて前記紹介画面に表示することを特徴とする。請求項１４記載の発明によれば、例えば文字等を読むことができる大きさに拡大することで、資料の文字が極端に小さくて理解できなくなることを防ぐことができ、会議映像の内容が興味あるものであるかを判断することができる。
【００２５】
本発明は、請求項１５に記載のように、請求項１記載の表示装置において、前記表示手段は、前記会議映像に関係のある資料を所定の言語に翻訳したものを前記紹介画面に表示することを特徴とする。請求項１５記載の発明によれば、例えば表示機器のある場所の母国語などに定められた言語で資料に目を通すことができる。
【００２６】
本発明は、請求項１６に記載のように、請求項１記載の表示装置において、前記表示手段は、前記会議映像に関連するアノテーションを前記紹介画面に表示することを特徴とする。請求項１６記載の発明によれば、会議映像に関連するアノテーションを紹介画面に表示するので、例えば第三者の感想に基づいて映像の内容を把握することができる。
【００２７】
本発明は、請求項１７に記載のように、請求項１５記載の表示装置において、前記表示手段は、前記アノテーションが付加された日時または前記アノテーションを付加した人物の属性によって優先順位を変えて前記アノテーションをスライドショー表示することを特徴とする。請求項１７記載の発明によれば、ユーザーは重要なアノテーションから目を通すことができる。
【００２８】
本発明は、請求項１８に記載のように、請求項１記載の表示装置において、前記表示手段は、前記会議映像を撮影した日時を前記紹介画面に表示することを特徴とする。請求項１８記載の発明によれば、会議映像を撮影した日時を紹介画面に表示するので、何時撮影された会議映像であるかどうかを一目で知ることができる。
【００２９】
本発明は、請求項１９に記載のように、請求項１記載の表示装置において、前記表示手段は、前記会議映像を撮影した日時を前記紹介画面が表示される場所の日時に変換した日時を前記紹介画面に表示することを特徴とする。請求項１９記載の発明によれば、会議映像を撮影した日時を紹介画面が表示される場所の日時に変換して表示することで、時差を考慮して撮影時間を知ることができる。
【００３０】
本発明は、請求項２０に記載のように、請求項１記載の表示装置において、前記表示手段は、前記会議映像のタイトルを前記紹介画面に表示することを特徴とする。請求項２０記載の発明によれば、紹介画面に表示された会議映像のタイトルにより、会議映像の概要を把握できる。
【００３１】
本発明は、請求項２１に記載のように、請求項１記載の表示装置において、前記表示手段は、前記会議映像のタイトルを所定の言語に翻訳したものを前記紹介画面に表示することを特徴とする。請求項２１記載の発明によれば、会議映像のタイトルを所定の言語に翻訳したタイトルを見ることで、言語の異なる地域における映像であっても、映像の概要を把握できる。
【００３２】
本発明は、請求項２２に記載のように、請求項１記載の表示装置において、前記表示手段は、前記会議映像に登場する人物に関する情報を前記紹介画面に表示することを特徴とする。請求項２２記載の発明によれば、会議映像に登場する人物に関する情報を見ることで、この映像が興味あるものであるかを判断する助けになる。
【００３３】
本発明は、請求項２３に記載のように、請求項２２記載の表示装置において、前記会議映像に登録する人物に関する情報は、少なくとも前記映像に登場する人物の名前または前記映像に登場する人物の写真を含むことを特徴とする。請求項２３記載の発明によれば、会議映像に登場する人物の名前または会議映像に登場する人物の写真を見ることで、登場する人物が誰であるか認識しやすくなり、この会議映像が興味あるものであるかを判断しやすくなる。
【００３４】
本発明は、請求項２４に記載のように、請求項２２または請求項２３記載の表示装置において、前記表示手段は、前記会議映像に登場する人物に関する情報をスライドショー表示することを特徴とする。請求項２４記載の発明によれば、スライドショー表示されている会議映像に登場する人物に関する情報を表示する領域が狭い場合であっても、多くの参加者情報を表示できる。
【００３５】
本発明は、請求項２５に記載のように、請求項２２または請求項２３記載の表示装置において、前記表示手段は、前記会議映像に登場する人物の属性に応じて前記会議映像に登場する人物に関する情報をスライドショー表示することを特徴とする。請求項２５記載の発明によれば、属性に応じてスライドショー表示されている映像に登場する人物を見ることで、属性によって映像に登場する人物を知ることができる。
【００３６】
本発明は、請求項２６に記載のように、請求項１から請求項２５のいずれか一項に記載の表示装置において、前記表示手段は、前記紹介画面中の選択された箇所を拡大して表示することを特徴とする。請求項２６記載の発明によれば、ユーザーは興味のある箇所を詳細に見ることができる。
【００３７】
本発明は、請求項２７に記載のように、請求項１から請求項２６のいずれか一項に記載の表示装置において、前記表示手段は、前記各会議映像に関する情報を所定の情報処理装置に送信するための操作画面を表示することを特徴とする。請求項２７記載の発明によれば、後で自分の興味のある映像をゆっくりと視聴できる。
【００３８】
本発明は、請求項２８に記載のように、請求項１記載の表示装置において、更に、前記取得手段が取得した各会議映像に関する情報に基づいて、前記各会議映像の重要度を算出する算出手段を有し、前記表示手段は、前記算出手段が算出した各会議映像の重要度に応じて、前記紹介画面を表示する表示時間または表示回数を変更することを特徴とする。請求項２８記載の発明によれば、会議映像の会議映像の重要度に応じて、紹介画面を表示する表示時間または表示回数を変更することで、重要度の高い紹介画面については表示時間を長くしたり、表示回数を多くすることができるので、興味のある映像を発見し易くなる。
【００３９】
本発明は、請求項２９に記載のように、会議映像を蓄積する映像記憶装置から該会議映像に関する情報を取得する取得手段と、前記取得手段が取得した会議映像を分割した分割会議映像を、前記会議映像を紹介する複数のウインドウに同時に表示する表示手段とを有することを特徴とする表示装置である。請求項２９記載の発明によれば、会議映像を分割した分割映像を同時に見ることで、短時間に多量の映像を見ることが可能になるため、この映像が興味あるものであるかを短時間で判断することができる。
【００４０】
本発明は、請求項３０に記載のように、請求項２９記載の表示装置において、前記表示装置は更に、前記会議映像の撮影時間に基づいて、前記取得手段が取得した会議映像を分割する分割手段を有することを特徴とする。請求項３０記載の発明によれば、撮影時間に基づき容易に会議映像を分割することができる。
【００４１】
本発明は、請求項３１に記載のように、請求項２９記載の表示装置において、更に、前記会議映像を信号処理した結果に応じて、前記会議映像を分割する分割手段を有することを特徴とする。請求項３１記載の発明によれば、例えば画像信号処理や音声信号処理を用いて、話者を特定し話者ごとに会議映像を分割できる。
【００４２】
本発明は、請求項３２に記載のように、会議映像を記憶する映像記憶装置から該会議映像に関する情報を取得する取得手段と、前記取得手段が取得した会議映像を、前記会議映像を紹介する複数のウインドウに異なる再生速度で同時に表示する表示手段とを有することを特徴とする表示装置である。請求項３２記載の発明によれば、同じ会議映像について、例えば、１つのウインドウでは通常の速度で、他のウインドウでは倍速で再生することで、詳細な会議映像を大まかな会議映像を同時に見ることができる。これにより、興味のある会議映像を短時間で見つけることができる。
【００４３】
本発明は、請求項３３に記載のように、会議映像を記憶する映像記憶装置から複数の会議映像に関する情報を取得する取得手段と、前記取得手段が取得した複数の会議映像を、前記会議映像を紹介する複数のウインドウに異なる再生で同時に表示する表示手段とを有することを特徴とする表示装置である。請求項３３記載の発明によれば、複数の会議映像について、例えば１つのウインドウでは通常の速度で、他のウインドウでは倍速で再生することで、興味のある会議映像を短時間で見つけることができる。
【００４４】
本発明は、請求項３４に記載のように、会議映像に関連する情報を記憶する映像記憶装置と、前記会議映像に関連する情報を受信する情報処理装置と、請求項１から請求項３３記載の表示装置とを備えたことを特徴とするシステムである。請求項３４記載の発明によれば、各会議映像を紹介する情報を適宜配置させた紹介画面を作成し、これら紹介画面を表示するので、興味のある会議映像を短時間で見つけることができるシステムを提供できる。
【００４５】
本発明は、請求項３５に記載のように、複数の会議映像を記憶する映像記憶装置から各会議映像に関する情報を取得する取得ステップと、前記取得ステップで取得した各会議映像に関する情報に基づいて、前記各会議映像毎に前記各会議映像を紹介する情報を配置させた紹介画面を作成する作成ステップと、前記作成ステップで作成した各紹介画面を所定の表示面に順次表示する表示ステップとを有することを特徴とする表示方法である。請求項３５記載の発明によれば、各会議映像を紹介する情報を適宜配置させた紹介画面を作成し、これら紹介画面を表示するので、興味のある会議映像を短時間で見つけることができるシステムを提供できる。
【００４６】
本発明は、請求項３６に記載のように、会議映像を記憶する映像記憶装置から該会議映像に関する情報を取得する取得ステップと、前記取得ステップで取得した会議映像を複数の会議映像に分割する分割ステップと、前記分割ステップで分割した会議映像を、前記会議映像を紹介する複数のウインドウに同時に表示する表示ステップとを有することを特徴とする表示方法である。請求項３６記載の発明によれば、会議映像を分割した分割映像を同時に見ることで、短時間に多量の映像を見ることが可能になるため、この会議映像が興味あるものであるかを短時間で判断することができる。
【００４７】
本発明は、請求項３７に記載のように、会議映像を記憶する映像記憶装置から該会議映像に関する情報を取得する取得ステップと、前記取得ステップで取得した会議映像を、前記会議映像を紹介する複数のウインドウに異なる再生速度で同時に表示する表示ステップとを有することを特徴とする表示方法である。請求項３７に記載の発明によれば、同じ会議映像について、例えば１つのウインドウでは通常の速度で、他のウインドウでは倍速で再生することで、詳細な会議映像を大まかな会議映像を同時に見ることができる。これにより、興味のある会議映像を短時間で見つけることができる。
【００４８】
本発明は、請求項３８に記載のように、会議映像を記憶する映像記憶装置から複数の会議映像に関する情報を取得する取得ステップと、前記取得ステップで取得した複数の会議映像を、前記会議映像を紹介する複数のウインドウに異なる再生で同時に表示する表示ステップとを有することを特徴とする表示方法である。請求項３８記載の発明によれば、複数の会議映像について、例えば１つのウインドウでは通常の速度で、他のウインドウでは倍速で再生することで、興味のある会議映像を短時間で見つけることができる。
【発明の効果】
【００４９】
本発明によれば、複数の会議映像の中から興味のある会議映像を短時間で見つけることができる表示装置、システムおよび表示方法を提供できる。
【発明を実施するための最良の形態】
【００５０】
以下、本発明を実施するための最良の形態について実施例を用いて説明する。
【実施例１】
【００５１】
図１は、実施例１に係るシステムの全体構成図である。図１に示すように、システム１は、会議映像記録装置２、サーバー３、データベース４、表示装置５、パーソナルコンピュータ６を備える。会議映像記録装置２、サーバー３、表示装置５、パーソナルコンピュータ６はネットワーク７を介して接続されている。会議映像記録装置２は会議を記録するものである。この会議映像記録装置２はサーバー２１、カメラ２２、マイク２３、スピーカ２４、センサ２５を備える。
【００５２】
サーバー２１は、ＣＰＵ（Central Processing Unit）、ＲＡＭ（Random Access Memory）、ＲＯＭ（Read Only Memory）等を用いて構成されている。サーバー２１は、カメラ２２、マイク２３で会議を記録した映像をサーバー３に送る。サーバー３はデータベース４にサーバー２１から送られる会議映像を記録する。
【００５３】
データベース４は、複数の会議映像およびこれに関連する情報を記録するものである。データベース４は、一つだけでなく複数分散させて設置するようにしてもよい。ネットワーク７には、例えばインターネット、ＬＡＮ（Local Area Network）、ＷＡＮ（Wide Area Network）等が含まれる。
【００５４】
表示装置５は、表示部５１、サーバー５２、カメラ５３、マイク５４、スピーカ５５、センサ５６、タッチパネル５７を備える。この表示部５１は、表示面５１ａを有し、例えばプラズマディスプレイ等の大型ディスプレイで構成されている。表示部５１の表示面５１ａには、データベース４に蓄積されている映像やこの映像を紹介するための紹介画面等が表示される。表示部５１は、表示面５１ａに対応する位置にタッチパネル５７が配置されている。視聴者は、タッチパネル５７を用いて各種指示やメッセージを入力することができる。このタッチパネル５７により検出された情報は、サーバー５２に送られる。ここでは、入力装置としてタッチパネル５７を用いているが、キーボードやマウス等の入力装置であってもよい。
【００５５】
カメラ５３は、表示部５１に表示する会議映像やこの会議映像を紹介するための紹介画面を視聴する視聴者を撮影するものである。このカメラ５３には、静止画像、動画像を撮影するカメラが含まれる。カメラ５３で撮影された画像は、サーバー５２に送られ、アノテーションとして会議映像に関連付けられてデータベース４に登録される。マイク５４は、視聴者の音声を取得するものである。このマイク５４からの音声はサーバー５２に送られる。スピーカ５５は表示部５１で表示する画像に同期した音声を再生するものである。
【００５６】
センサ５６は、所定のエリア内に存在する視聴者の存在を検出するものである。このセンサ５６には、例えば、赤外線センサ等の距離センサや、人物に付けられているＲＦＩＤ（Radio Frequency Identification）を受信するセンサ等が含まれる。センサ５６は、例えば人物と表示部５１との距離がＮメートル以内の場合に検出信号をサーバー５２に送る。
【００５７】
サーバー５２は表示装置５全体を制御する。このサーバー５２は例えば、ＣＰＵ、ＲＯＭ、ＲＡＭ等を用いて構成されている。ＣＰＵが所定のプログラムを実行することで、本発明による表示方法が実現される。サーバー５２は、複数の会議映像を蓄積するデータベース４から各会議映像に関する情報を取得し、この各会議映像に関する情報に基づいて、各会議映像を紹介する紹介画面を作成し、これら各紹介画面を表示部５１の表示面５１ａに順次表示する。サーバー５２は、表示部５１に表示している会議映像や紹介画面に対して、手書き、タッチパネル５７またはキーボードからの入力、カメラ５３の撮影によりアノテーションがつけられたとき、対応する会議ＩＤに関連付けてデータベース４に保存する。
【００５８】
パーソナルコンピュータ６は、会議映像の詳細を見るためのものであり、例えば会議映像のＩＤを用いてデータベース４にアクセスして、興味のある会議映像に関する情報を受信して所定のディスプレイに表示できる。また、パーソナルコンピュータ６は、手書き、キーボードからの入力、ビデオの撮影によりアノテーションがつけられたとき、対応する会議ＩＤに関連付けてデータベース４に保存する。アノテーションの付加者は、システムへのログインＩＤ、または所定のセンサで特定された人物のＲＦＩＤタグにより特定され、アノテーションとともにデータベース４に保存される。
【００５９】
次に、会議映像の登録方法について説明する。図２は会議映像の登録方法の概要を説明する図である。図２に示すように、会議映像記録装置２は会議映像およびこの会議映像に関する情報をデータベース４に登録する。表示装置５はこのデータベース４に登録された会議映像の紹介画面を表示する。
【００６０】
図３は会議映像を登録するための処理フローチャートである。図１および図２を参照しながら会議映像を登録するための処理について説明する。ステップＳ１０１で、会議映像記録装置２は、会議が開始したかどうかをみて、会議が開始したことを検出すると、ステップＳ１０２で、会議の撮影を開始する。ステップＳ１０３で、会議映像記録装置２は、会議が終了したかどうかをみて、会議が終了したことを検出すると、ステップＳ１０４で、会議内容の撮影を終了する。
【００６１】
ステップＳ１０４で、会議映像記録装置２は、会議映像をサーバー３を介してデータベース４に登録する。ここで、サーバー２１は、ステップＳ１０４で会議映像をデータベース４に記録する際に、会議が行われた日時、会議名、会議参加者名、会議参加者の写真、会議資料、アノテーションを会議映像に関連付けて登録する。この登録は会議映像記録装置２により自動で行ってもよいし、ユーザーにより手動で行うようにしてもよい。また、会議参加者の名前と顔写真の対応は、あらかじめデータベース４に登録されている。
【００６２】
図４は、データベースに蓄積される会議情報のデータ構成を示す図である。図４に示す例では、会議１から会議５の５つの会議情報がデータベース４に格納されている。会議情報は、会議名、会議開催場所、会議開催時間、参加者情報、会議映像情報、会議資料情報、アノテーション情報からなる。例えば、会議１についての会議情報は、会議名「ミーティングＡ」、場所「オフィスＡ、会議室Ａ」、時間「５月１日、１１：００−１２：００」、参加者情報「人物１、３、４、５」、会議映像情報「会議映像Ａ」、会議資料情報「会議資料Ａ」、アノテーション情報「アノ１、２」を含む。
【００６３】
会議資料は、スライドおよび紙ドキュメント等からなるものである。サーバー２１は会議室にあるプロジェクタからスライドに映し出された資料を自動的にデータベース４に登録するようにしてもよい。また紙ドキュメントの場合、サーバー２１は、紙ドキュメントをスキャンニングしてデータベース４に登録してもよいし、紙ドキュメントにとりつけられたＩＤタグをセンサ２５で読み出し、紙文章を管理するデータベース（図示せず）からその電子情報を取り込んでデータベース４に登録するようにしてもよい。
【００６４】
サーバー２１は、会議が行われたときに自動的に会議映像をデータベース４に登録する。この場合、サーバー２１はセンサ２５で所定のスイッチのオンオフを検出することによって会議の開始／終了時間を判断する。このスイッチは、会議室の照明などであってもよい。また、サーバー２１は人物が持つＲＦＩＤのようなタグをセンサ２５で検出し、人物の会議室への入室を検出し、会議の開始／終了時間を判断してもよい。サーバー２１は会議室に設置されたカメラ２２で撮影した映像を解析することによって、会議室にいる人物の存在を検出し、会議の開始／終了時間を判断するようにしてもよい。またサーバー２１は、会議室に設定されたマイク２３から収音した音声を解析することで、会議室にいる人物の存在を検出し、会議の開始／終了の時間を判断するようにしてもよい。
【００６５】
次に、アノテーションの登録について説明する。サーバー２１はアノテーション、アノテーションを付加した人物、アノテーションを付加した時刻を会議映像に関連付けて登録する。ここで、アノテーションは、手書き画像、映像、ドキュメントからなるものである。またアノテーションの登録は表示装置５から行うこともできる。
【００６６】
図５は、データベース４に蓄積されている複数の会議から、表示する会議を選択し、各会議の紹介画面を生成してスライドショー表示する処理を表すフローチャートである。ステップＳ１５１で、サーバー５２は、データベース４に蓄積されているすべての会議情報を取り込む。ステップＳ１５２で、サーバー５２は、すべての会議の中から表示する会議を選択する。ステップＳ１５３で、サーバー５２は、選択された会議が一つ以上の場合、ステップＳ１５４で、サーバー５２は、各会議の紹介画面を作成し、表示部５１を介して順次スライドショー表示する。選択された会議の紹介画面がすべてスライドショーで表示し終わったら、ステップＳ１５１に戻る。上記ステップＳ１５２において、サーバー５２は、表示する会議は図１のデータベース４に蓄積されている複数の会議から選択する。選択の基準は、会議データの属性から決定される。例えば、各会議の行われた日時のデータを用いて、最近Ｎ個の会議を選択して表示する。または、各会議の重要度を計算し、重要度の高いＮ個の会議を選択して表示する。重要度の計算は、会議データの属性から、例えば（会議の新しさ＋会議の参加人数Ｘ３＋アノテーションの数Ｘ２）のように、あらかじめ定められた計算式によって計算される。ここで、Ｘ２およびＸ３は重み付けをしていることを示す。表示装置５に付属のサーバー５２あるいは、データベース４に付属のサーバー３が、データベース４に蓄積されている複数の会議からの表示する会議の選択を行う。
【００６７】
会議映像を選択するタイミングは、予め定められた選択基準やアルゴリズムにより、固定的に選択したり、例えば、新しいものからいくつかを選択するなどのように、時間経過に応じて、選択する会議映像を変更する。更に、各地区毎に会議映像を選択するようにしてもよい。また、サーバー５２、３は予め定められた選択基準やアルゴリズムに従って、会議内容の重要度に応じて紹介する会議映像を選択する。この結果、膨大な会議映像(複数の会議映像)の中から素早く有用な会議映像を発見できる。また、重要度に応じて選択される場合には、会議映像の重要度に応じた閲覧ができるので、無駄なく、効率的に有用な会議映像を発見できる。なお、重み付けを視聴者の興味等に応じて変更するようにすれば、視聴者の興味に応じた会議映像を素早く発見できる。
【００６８】
次に会議映像の表示処理について説明する。図６はあるひとつの会議映像の表示処理を表すフローチャートである。ステップＳ２０１で、表示装置５は、電源オンや操作部の操作を検出して会議映像の紹介画面の表示要求があるかどうかを検出する。ステップＳ２０２で、表示装置５は、会議映像の紹介画面の表示要求があった場合、サーバー５２がサーバー３を介してデータベース４にアクセスして会議映像が登録されているかどうかを問い合わせる。ステップＳ２０３で、表示装置５は、データベース４に会議映像が登録されていると判断した場合、ステップＳ２０４で、データベース４から会議映像に関する情報を取得する。ステップＳ２０５で、サーバー５２は、データベース４から取得した会議映像に関する情報に基づいて会議映像の紹介画面を作成する。ステップＳ２０６で、サーバー５２は、作成した会議映像の紹介画面を表示部５１に表示する。
【００６９】
このような表示処理によって表示された会議映像の紹介画面を図７に示す。図７に示すように、会議映像の紹介画面Ａ０には、会議映像を紹介する情報が適宜配置されている。会議映像を紹介する情報には、会議名Ａ１、会議日時Ａ２、会議参加者の情報Ａ３、会議映像Ａ４、会議資料Ａ５、アノテーション情報Ａ６が各映像を紹介する情報等が含まれる。サーバー５２は会議名（映像のタイトル）Ａ１「Ｗｅｅｋｌｙ  Ｓｔａｆｆ  Ｍｅｅｔｉｎｇ」を紹介画面の一部の領域に表示する。これにより会議の概要を把握することができる。サーバー５２は会議名を所定の言語に翻訳したものを紹介画面Ａ０の一部の領域に同時にあるいは置き換えて表示してもよい。ここで、会議名の翻訳はサーバー５２により自動的に行ってもよい。また、翻訳した会議名を会議映像記録装置２からデータベース４に保存するようにしてもよい。
【００７０】
サーバー５２は会議映像を撮影した日時「２００３／０８／２６、１５:００−１６：００」を紹介画面Ａ０の一部の領域に表示する。時差のある場所の会議を表示する場合には、現地のローカルタイム時刻と、表示装置５のローカルタイム時刻に変換したものを同時にあるいは置き換えて表示する。図７に示す例では、実際の会議は、アメリカで「２００３／０８／２６、１５:００−１６:００」に行われている。表示装置５は日本に設置されている。このため、サーバー５２はアメリカで会議映像を撮影した日時「２００３／０８／２６、１５:００−１６:００」を紹介画面Ａ０が表示される場所（日本）の日時に変換して、「２００３／０８／２７、７:００−８:００」を表示する。
【００７１】
サーバー５２は会議映像に登場する人物に関する情報（会議参加者の情報）を紹介画面Ａ０の一部の領域に表示する。図７に示す例では、会議の参加者の情報として会議参加者の名前と顔写真を一覧表示している。図８は会議参加者を一覧表示で表示した例である。会議参加者の名前が映像に登場する人物の名前に相当し、参加者の顔写真が映像に登場する人物の写真に相当する。参加者の人数が多い場合には、図９に示すように、スライドショー表示を用いてもよい。
【００７２】
図９では、まず参加者１が表示され、Ｎ秒後に参加者２が表示され、さらにＮ秒後に参加者３が表示される。このように、会議参加者に関する情報をフライド表示することで会議参加者の情報を表示する領域が狭い場合であっても、多くの参加者情報を表示できる。また、参加者の人数が多い場合は、参加者情報を役職などの属性で分類し、図１０に示すように、それぞれの属性ごとに参加者情報をスライドショー表示する。図１０に示す例では、まず属性が部長の参加者が表示され、Ｎ秒後に属性が課長の参加者が表示され、更にＮ秒後に属性が社員の参加者が表示される。このように会議参加者の属性に応じて参加者情報をスライドショー表示することで属性によって会議参加者を知ることができる。
【００７３】
サーバー５２は会議映像Ａ４を紹介画面Ａ０の一部の領域に再生表示する。これにより会議映像自体を見ることで興味のある映像かどうかを容易に判断することができる。サーバー５２は会議映像を要約した映像を紹介画面Ａ０の一部の領域に表示するようにしてもよい。会議映像の要約はサーバー５２で行ってもよいし、サーバー３で行ってもよい。サーバー５２は会議資料Ａ５を紹介画面Ａ０の一部の領域に表示する。この会議資料Ａ５が映像に関係のある資料に相当する。
【００７４】
サーバー５２は、アノテーションＡ６を紹介画面Ａ０の一部の領域に表示する。アノテーションにはアノテーション付加した人物名と、その顔写真と、付加時刻を一緒に表示してもよい。アノテーションが多数ある場合には、一覧表示、スライドショー表示、あるいはその混合で表示してもよい。ここで、サーバー５２はアノテーションが付加された日時またはアノテーションを付加した人物の属性によって優先順位を変えてアノテーションをスライドショー表示させるようにしてもよい。例えばスライドショー表示をする場合、アノテーションが付加された時刻が新しいものを優先して表示することで、最新の情報に基づいて興味のある会議映像かどうかを判断できる。ここで、アノテーションを付加した人の属性とはアノテーションを付加した人物の役職等をいう。
【００７５】
次に、会議映像の紹介画面の表示方法について説明する。図１１は会議映像の紹介画面の表示例を示す図である。図１１に示すように、サーバー５２は、図７に示した会議映像の紹介画面をスライドショー表示する。図１１では、サーバー５２は、まず一番目の会議映像の紹介画面１を表示し、Ｎ秒後に二番目の会議映像の表示画面２を表示し、更にＮ秒後に三番目の会議映像の紹介画面３を表示し、更にＮ秒後に四番目の会議映像の紹介画面４を表示し、Ｎ秒後に一番目の会議映像の紹介画面１を表示する。これにより複数の会議映像の中から興味のある会議映像を短時間で見つけることができる。また、全く関心を持っていなかった人に会議映像に接触する機会を作り、このような人に会議映像への関心を喚起することができる。
【００７６】
ここで、紹介画面の切り替えについては、タッチパネル５７の操作や、センサ５６でＲＦＩＤを検出したり、カメラ５３で撮影した画像をサーバー５２で画像処理したりすることで人物の存在を検出し、これを基に次の会議情報に動的に変えるようにしてもよい。またユーザーがどの会議情報の紹介画面を表示させるかを指定できるようにしてもよい。このように、データベース４に登録されている複数の会議映像の紹介画面をスライドショー表示することで、ユーザーは会議の内容が自分の役に立つものかどうかを簡単に判断することができる。
【００７７】
図１２は拡大表示と、パーソナルコンピュータへの会議情報の送信処理について説明する図である。まず、拡大表示について説明する。サーバー５２は会議映像の紹介画面中でユーザーによって選択された箇所を拡大して表示する。図１２では、ユーザーが会議映像の紹介画面Ａ０中の会議資料Ａ６に接触すると、これをタッチパネル５７で検出し、サーバー５２に紹介画面中の接触位置が伝えられる。サーバー５２は会議資料Ａ６を別のウインドウＢ０に拡大して表示する。
【００７８】
これにより興味のある箇所を詳細に見ることができる。なお、図１２では、会議資料を拡大する例について説明したが、紹介画面中の他の箇所についても同様に拡大表示できる。例えば選択された箇所が会議映像Ａ４の場合、別ウインドウに会議映像が拡大されて、通常の早さで再生される。このとき、別ウインドウに再生されている映像にあわせた音声がスピーカ５５から出力される。
【００７９】
次にパーソナルコンピュータ６へ会議情報の送信処理について説明する。サーバー５２は、図１２に示すように、会議映像の紹介画面Ａ０を表示する際に、会議情報送信画面Ｃを表示する。ユーザーが会議映像の紹介画面Ａ０を見ているときに気になる会議映像を見つけたとする。ユーザーは気になる会議映像のＩＤを自分のパーソナルコンピュータ６へ送るために、キーボード（図示省略）を用いて会議情報送信画面Ｃに送信先電子メールアドレスを入力して、タッチパネル５７を用いて送信ボタンを押す。また、キーボードで送信先電子メールアドレスを入力するかわりに、システムが人物の持っているＲＦＩＤをセンサで感知したり、画像処理技術によって人物の顔を認識したりすることによって人物を特定し、この人物のメールアドレスをデータベースから検索してもよい。
【００８０】
サーバー５２は会議映像ＩＤの送信要求をサーバー３に送る。サーバー３はデータベース４を参照して会議映像ＩＤを指定されたパーソナルコンピュータ６に送る。これにより、ユーザーは後でサーバー３から送られてきた会議映像ＩＤを用いてデータベース４にアクセスして自分の興味のある会議映像をゆっくりと視聴できる。
【００８１】
次に本実施例による効果について説明する。従来、あるオフィスでは、会議映像や資料をデータベースに登録しても、これを知らせるためには、関心がありそうな人に電子メールで通知する等により行われていた。電子メールを受け取った人は、各自のＰＣ上で所定の操作を行って、データベースから映像や資料のファイルを取り出して内容を見なければならなかった。このため、会議の内容が自分の役に立つのか判断するのに手間がかかっていた。
【００８２】
本実施例によれば、サーバー５２は、複数の会議映像を蓄積するデータベース４から各会議映像に関する情報を取得し、この会議映像に関する情報に基づいて、各会議映像を紹介する紹介画面を作成し、この各紹介画面を表示部５１に順次表示する。ここで、例えばグループＳの会議映像の紹介画面が公開されたとする。Ｋ氏は、グループＳの業務とはかけ離れたグループに属しているため、普段はグループＳの会議についての通知電子メールが送られて来ない。また、Ｋ氏は多忙なために送られてきたメールによって、会議映像や資料をわざわざデータベースから取り込んで見たりする余裕はない。
【００８３】
Ｋ氏が表示装置５の前を通りかかったとき、このグループＳの会議情報の紹介画面が提示されていた。参加者の顔写真で副社長の顔が目に入り、映像上でも副社長が話している様が映っているため、興味を持って表示装置５を見る。スライドショー表示されている会議資料も、興味深い図が多く出ていることが分かり、表示装置５を操作して、この会議映像のＩＤを、自分のパーソナルコンピュータ６へ送る。後でＫ氏は、送られてきた会議情報のＩＤから、データベース４にアクセスして会議資料や映像を見返してみると、グループＳが問題として挙げていることに、Ｋ氏のグループのアイデアが生かせると感じ、グループＳにこれを提案したところ採用され、問題が解決できた。このように、表示装置５によれば興味のある映像を短時間で見つけることができる。また、全く関心を持っていなかった人に映像に接触する機会を作り、このような人に映像への関心を喚起することができる。
【実施例２】
【００８４】
次に実施例２について説明する。実施例１では、会議映像を一つのウインドウに表示する例について説明したが、実施例２では一つの会議映像を複数に分割して、それぞれの分割映像を別々のウインドウに同時に表示するようにしたものである。図１３は会議映像の表示例を示す図である。図１３に示すように、サーバー５２は会議映像を会議映像の撮影時間に基づいて３つに分割し、これら分割映像を紹介画面Ａ０の一部の領域に設けられた複数のウインドウＡ４１〜Ａ４３に同時に表示する。
【００８５】
具体的には、サーバー５２は会議映像の撮影時間が３時間であった場合、会議映像を単純に３つに分割し、０秒〜１時間の会議映像、１時間１秒〜２時間の会議映像、２時間１秒〜３時間の映像にし、それぞれを各ウインドウＡ４１〜Ａ４３に表示する。
【００８６】
次に、会議映像の他の表示例について説明する。図１４は会議映像の他の表示例を示す図である。サーバー５２は会議映像を画像信号処理または音声信号処理などの信号処理した結果に応じて会議映像を分割し、分割した会議映像を複数のウインドウに表示する。図１４に示す例では、サーバー５２は画像処理技術を用いて会議映像の中から会議参加者の動きの大きさに応じた画像を抽出し、会議映像を３つの映像に分割して、参加者の動きの大きなシーンを抽出して編集された会議映像をウインドウＡ４４に表示し、参加者の動きの中くらいのシーンを抽出して編集された会議映像をウインドウＡ４５に表示し、参加者の動きの小さなシーンを抽出して編集された会議映像をウインドウＡ４６に表示する。
【００８７】
サーバー５２は、公知の画像処理技術を用いて、会議参加者のジェスチャー等を特定することにより、会議映像から会議参加者の動きの大きさを特定する。また、サーバー５２は会議映像に画像処理を施して顔解析を行って話者を特定して、話者ごとの映像を集め、話者毎に会議映像を分割するようにしてもよい。例えば会議映像からＡさんが話したところの映像を抽出し編集することで、Ａさんだけが話した会議映像を作成できる。これにより話者ごとに会議映像を分割できる。
【００８８】
なお、上記では、画像処理により会議映像を分割する例について説明したが、音声解析に基づいて例えば話者ごと等に会議映像を分割するようにしてもよい。例えば、音声認識技術を用いて、話者を特定し、例えばＡさんが話したところの映像を抽出し編集することで、Ａさんだけが話した会議映像を作成する。これにより話者ごとに会議映像を分割できる。また、会議映像に付属のメタ情報に基づいて会議映像を分割するようにしてもよい。例えば、サーバー５２は、メタ情報に基づいて、スライドを表示する時間で会議映像を分割する。
【００８９】
実施例２によれば、会議映像の紹介画面の一部の領域に設けられた複数のウインドウに、会議映像を分割した映像をそれぞれ表示するようにしたので、興味のある映像を短時間で見つけることができる。
【実施例３】
【００９０】
次に実施例３について説明する。実施例３は、会議映像を各ウインドウごとに再生速度を変えて表示するようにしたものである。なお、各ウインドウに表示される会議映像は同一の会議映像であってもよいし、異なる会議映像であってもよし、また実施例２で説明したように分割映像であってもよい。
【００９１】
図１５は会議映像の表示例を示す図である。図１５（ａ）に示すように、サーバー５２は各会議映像に関連する映像が複数あった場合、こられの映像を会議映像の紹介画面Ａ０に一部の領域に設けられた複数のウインドウＡ４７〜Ａ４９に同時に表示する。また、サーバー５２は会議映像を各ウインドウＡ４７〜Ａ４９毎に再生速度を変えて表示する。図の例では、ウインドウＡ４７では会議映像を１倍速で表示し、ウインドウＡ４８では会議映像を２倍速で表示し、ウインドウＡ４９では会議映像を４倍速で表示している。
【００９２】
この状態で、同図（ａ）に示すウインドウＡ４８をユーザーがクリックすると、これをタッチパネル５７が検出し、これをサーバー５２に出力し、サーバー５２は、同図（ｂ）に示すように、ウインドウＡ４８に表示されている会議映像を選択された１倍速の再生速度で表示する。各ウインドウに表示される会議映像の再生速度は逆回しであってもよい。サーバー５２はユーザーにより−１倍速が選択された場合、逆回しを行い、−２倍速が選択された場合、２倍の速さで逆回しを行う。
【００９３】
なお、サーバー５２は、再生速度の代わりに、映像の要約パラメータを変化させてもよい。ここで、再生速度が２倍に対応するパラメータは、要約によって映像全体のフレーム数が１／２になるようなパラメータとなる。ここでパラメータとしては人の動きに関する情報や偉い人が話をしている場合の情報等を用いることができる。サーバー５２はタッチパネル５７を介してウインドウＡ４７〜Ａ４９の中から所定のウインドウが選択されたことを検出すると、選択されたウインドウＡ４７〜Ａ４９に表示されている映像に関する音声をスピーカ５５から出力する。
【００９４】
実施例３によれば、サーバー５２が同じ会議映像を会議映像を紹介する複数のウインドウに異なる再生速度で同時に表示したり、複数の会議映像を、会議映像を紹介する複数のウインドウに異なる再生で同時に表示したりすることで、例えばユーザーが見たい映像は、1倍速で細部まで見せる一方、選択した映像に時間的に遠い映像ほど、おおまかにユーザーに提示できる。また操作もタッチパネルによるタッチのみで済むので、操作が簡単である。
【実施例４】
【００９５】
次に実施例４について説明する。実施例４では会議資料の表示例について説明する。図１６は、会議資料の表示例を示す図である。図１６に示すように、サーバー５２は会議映像に対する会議資料が複数あった場合、これらの会議資料を会議映像の紹介画面に設けられた複数のウインドウＡ５１、Ａ５２にそれぞれ同時に表示する。このとき、サーバー５２は会議資料をスライドショー表示する。また、サーバー５２は会議資料に含まれる文字または図形の大きさに応じて会議資料の表示倍率を変えて会議資料を表示するようにしてもよい。サーバー５２は会議資料に含まれる文字や図形の大きさを公知の画像処理技術を用いて認識することができる。また、サーバー５２は会議資料を所定の言語に翻訳して表示してもよい。
【００９６】
次に、会議資料の他の表示例について説明する。図１７は会議資料の他の表示例を示す図である。図１７に示すように、サーバー５２は会議資料を分割して紹介画面上に設けられた複数のウインドウＡ５３、Ａ５４に同時に表示する。このとき、サーバー５２は会議資料に対して公知の文書解析技術を用いて、会議資料中の図が主なページと、文字が主なページとを特定して、会議映像を分割する。図１７では、ウインドウＡ５３には、会議資料１のうちの図が主なページ群が表示され、ウインドウＡ５４には、会議資料１のうちの文が主なページ群が表示されている。図が主なページ群を見ることで会議資料全体を簡単に把握できる。
【００９７】
またサーバー５２は会議資料を一定ページで分割するようにしてもよい。また、サーバー５２はメタ情報などの会議資料に付属の情報に基づいて、例えば章ごと、文字のページと図のページに会議映像を分割してもよい。また、サーバー５２は、各ウインドウＡ５３、Ａ５４に表示されている会議資料を選択された速度に応じてスライドショー表示する。またサーバー５２は各ウインドウＡ５３、Ａ５４に表示されている会議資料をユーザーにより選択された速度に応じてスライドショー表示してもよい。
【００９８】
上記各実施例において、サーバー５２は、各会議映像に関する情報に基づいて、各会議映像の重要度を算出し、各会議映像の重要度に応じて、紹介画面を表示する表示時間または表示回数を変更するようにしてもよい。例えば、サーバー５２は、会議映像の紹介画面Ａ、Ｂ、Ｃがある場合（会議映像の重要度；Ａ＞Ｂ＞Ｃ）、Ａ＋Ｂ＋Ｃ、Ａ＋Ｂ、Ａというようにより重要度の高い要素を残すことにより紹介画面の表示回数を変える。またサーバー５２は、会議映像に関する資料の内、重要度の低い頁を取り除くことにより各紹介画面の表示時間を変えてもよい。ここで、サーバー５２は、会議映像に対して画像処理や音声信号処理を施すことにより、例えば会議映像内の会議参加者の顔、会議参加者の声、会議参加者の動き等を抽出して上記会議映像の重要度を判断する。また、サーバー５２は、会議映像のうち、動画と会議資料とアノテーション(注釈)を順次表示していた場合に、動画と会議映像と注釈を並列に表示して、表示時間を変えてもよい。
【００９９】
また、サーバー５２は、紹介画面が、会議名、場所、時間、参加者等、動画、資料、注釈等から成る場合、他の会議映像より重要度が低い会議映像の場合には、重要度の低い資料を省略したり、動画を特徴のある数カットのみにしたりして簡略化して各紹介画面の表示時間を変えてもよい。このように、重要度に応じて、順次表示する紹介画面の表示時間または表示回数を変えることにより、膨大な会議映像の中から素早く有用な会議映像を無駄なく効率的に発見できる。
【０１００】
なお、サーバー５２が特許請求の範囲における取得手段、表示手段、分割手段に相当する。またサーバー５２が取得手段が取得した各会議映像に関する情報に基づいて、各会議映像の中から前記紹介画面で紹介する会議映像を選択的に選択する選択手段および取得手段が取得した各会議映像に関する情報に基づいて、各会議映像の重要度を算出する算出手段に相当する。また、データベース４、パーソナルコンピュータ６およびスピーカ５５が特許請求の範囲における映像記憶装置、情報処理装置および出力手段にそれぞれ相当する。またサーバー５２が特許請求の範囲における表示方法を実行する。なお、上記会議には、少人数で行う打ち合わせあるいは講演等における質疑応答等も含まれる。
【０１０１】
上記各実施例によれば、過去に行われた会議の映像、使用されたコンテンツ、アノテーション等を、電子掲示板のような表示装置５に提示することで、表示装置５の前を通りかかった人に対し、会議の概要を知らせ、短時間でより多く閲覧できる。知る機会がなかった、または手動で知らせていた会議の内容に気づかせ、関心を持たせることで、コンテンツを視聴する人を増やすことができる。
【０１０２】
以上本発明の好ましい実施例について詳述したが、本発明は係る特定の実施例に限定されるものではなく、特許請求の範囲に記載された本発明の要旨の範囲内において、種々の変形、変更が可能である。例えば上記各実施例ではデータベース４に蓄積されている映像として会議映像を用いて説明したが本発明の映像は会議映像に限られるものではなく、例えば映画の映像等も含まれる。
【図面の簡単な説明】
【０１０３】
【図１】実施例１に係るシステムの全体構成図である。
【図２】会議映像の登録方法の概要を説明する図である。
【図３】会議映像を登録するための処理フローチャートである。
【図４】データベースに蓄積される会議情報のデータ構成を示す図である。
【図５】データベース４に蓄積されている複数の会議から、表示する会議を選択し、各会議の紹介画面を生成してスライドショー表示する処理を表すフローチャートである。
【図６】会議映像の表示処理のフローチャートである。
【図７】実施例１による会議映像の紹介画面を示す図である。
【図８】会議参加者を一覧表示で表示した例を示す図である。
【図９】会議参加者をスライドショー表示で表示した例を示す図である。
【図１０】会議参加者をそれぞれの属性にごとにスライドショー表示した例を示す図である。
【図１１】会議映像の紹介画面の表示例を示す図である。
【図１２】拡大表示とパーソナルコンピュータへの会議情報の送信処理について説明する図である。
【図１３】実施例２による会議映像の表示例を示す図である。
【図１４】実施例２による会議映像の他の表示例を示す図である。
【図１５】実施例３による会議映像の表示例を示す図である。
【図１６】実施例４による会議資料の表示例を示す図である。
【図１７】実施例４による会議資料の他の表示例を示す図である。
【符号の説明】
【０１０４】
１  システム
２  会議映像記録装置
３  サーバー
４  データベース
５  表示装置
５１  表示部
５１ａ  表示面
５２  サーバー
５７  タッチパネル
６  パーソナルコンピュータ
【図１】
2005352933.tif 000003
【図２】
2005352933.tif 000004
【図３】
2005352933.tif 000005
【図４】
2005352933.tif 000006
【図５】
2005352933.tif 000007
【図６】
2005352933.tif 000008
【図７】
2005352933.tif 000009
【図８】
2005352933.tif 000010
【図９】
2005352933.tif 000011
【図１０】
2005352933.tif 000012
【図１１】
2005352933.tif 000013
【図１２】
2005352933.tif 000014
【図１３】
2005352933.tif 000015
【図１４】
2005352933.tif 000016
【図１５】
2005352933.tif 000017
【図１６】
2005352933.tif 000018
【図１７】
2005352933.tif 000019